(57)【特許請求の範囲】
【請求項１】
シート状の表示プレート部と、基端部が該表示プレート部に一体に連結されて、被取付体に巻回される第１紐部と、該第１紐部の先端部に一体に連結された第２紐部とを備え、
前記第２紐部は、前記表示プレート部及び前記第１紐部を挿通可能な挿通孔を有していることを特徴とする表示札。
【請求項２】
第２紐部には、前記表示プレート部と共に、前記挿通孔に挿通された前記第１紐部と係合して、該第１紐部が長手方向にずれるのを防止する紐係合部が設けられていることを特徴とする請求項１に記載の表示札。
【請求項３】
紐係合部は、前記挿通孔の先端側に該挿通孔と連通して設けられていることを特徴とする請求項２に記載の表示札。
【請求項４】
第１紐部を被取付体に巻回した状態で、第２紐部の挿通孔に挿通された表示プレート部を引っ張ることにより、前記挿通孔に挿通された前記第１紐部が前記紐係合部に係合されることを特徴とする請求項３に記載の表示札。
【請求項５】
第１及び第２の各紐部は、ゴム又は軟質合成樹脂等の軟質材料により成形されていることを特徴とする請求項１ないし４のいずれかに記載の表示札。
【請求項６】
第２紐部に設けられた挿通孔は、表示プレート部の厚さと略対応する幅を有するスリットにより構成されていることを特徴とする請求項１ないし５のいずれかに記載の表示札。
【請求項７】
第１紐部の外面には、所定間隔をおいて環状突条が設けられていると共に、紐係合部には、第１紐部が挿通される紐挿通孔が設けられ、
前記紐挿通孔に挿通された第１紐部は、その環状突条が該紐挿通孔の周縁に当接することにより、長手方向にずれるのが防止されることを特徴とする請求項１ないし６のいずれかに記載の表示札。
【請求項８】
第２紐部の先端部には、表示プレート部と共に、前記挿通孔に挿通された第１紐部の余長部を保持する保持部が設けられていることを特徴とする請求項１ないし７のいずれかに記載の表示札。
【発明の詳細な説明】
【０００１】
【発明の属する技術分野】
本発明は、表示プレート部の表面に配線・配管先等の諸事項を記載して、管・ケーブル類等の被取付体に巻回して取付けられる表示札に関するものである。
【０００２】
【従来の技術】
従来より、管・ケーブル類の配線・配管先等を表示する表示札として、図８に示されるものが知られている。この表示札Ｌ’は、その全体が合成樹脂で成形されて、表示プレート部３１の周縁に突出部３２が一体に設けられ、該突出部３２に、紐部３３の基端部が一体成形された構成であって、図９に示されるように、その紐部３３を管Ｐ1 に巻回し、該紐部３３の先端部を前記突出部３２に設けられた紐挿通孔３４に挿通させて、該管Ｐ1 を締め付けることにより、これに取付けられる。
【０００３】
前記紐部３３には、多数の環状突条３３ａが長手方向に沿って所定間隔をおいて設けられ、前記紐挿通孔３４に挿通された紐部３３は、その環状突条３３ａが該紐挿通孔３４の周縁に当接することにより、該紐挿通孔３４から不用意に抜け外れないようになっている。
【０００４】
しかし、前記表示札Ｌ’においては、例えば、表示プレート部３１に何らかの外力が作用して、その紐部３３の先端側に向けて引っ張られた場合には、その紐部３３が紐挿通孔３４から抜け出る方向に相対的に移動する。このため、管・ケーブル類Ｐを強く締め付けていた紐部３３が緩んで、表示プレート部３１の位置が移動したり、更には、紐部３３が紐挿通孔３４から完全に抜け外れて、表示札Ｌ’そのものが落下したりして、表示機能が妨げられることがあった。
【０００５】
【発明が解決しようとする課題】
本発明は、被取付体に取付けられた状態で、表示プレート部に引張力等の何らかの外力が作用しても、被取付体に対する締付状態が緩んだり、或いは被取付体から外れたりして、表示機能が損なわれることのない表示札の提供を課題としている。
【０００６】
【課題を解決するための手段】
この課題を解決するための本発明に係る表示札は、シート状の表示プレート部と、基端部が該表示プレート部に一体に連結されて、被取付体に巻回される第１紐部と、該第１紐部の先端部に一体に連結された第２紐部とを備え、前記第２紐部は、前記表示プレート部及び前記第１紐部を挿通可能な挿通孔を有していることを特徴としている。
【０００７】
本発明に係る表示札は、第１紐部を被取付体に巻回した状態で、表示プレート部と第１紐部とを第２紐部の挿通孔に挿通した後に、連結手段により第１紐部と第２紐部とを連結すると、被取付体に締付状態で取付けられる。ここで、前記表示プレート部と共に、前記挿通孔に挿通された前記第１紐部と係合して、該第１紐部が長手方向にずれるのを防止する紐係合部を前記第２紐部に設けておくと、第１紐部は、第２紐部に前記紐係合部を介して係合連結されて、第１紐部と第２紐部とをワンタッチで連結できる。更に、第２紐部の挿通孔の先端側に該挿通孔と連通させて紐係合部を設けると、第２紐部の挿通孔に挿通された表示プレート部を無造作に引っ張るのみで、第１紐部と第２紐部とを連結できる。
【０００８】
このため、表示プレート部にいずれの方向の力が作用しても、被取付体に対する第１及び第２の各紐部の締付状態が緩むことがないと共に、第１又は第２の紐部に何らかの力が作用して、被取付体に対する第１及び第２の各紐部の締付状態が緩んでも、表示プレート部は、第２紐部の紐係合部の周縁部に当接するのみで、該紐係合部から抜け出ることはないために、被取付体から表示札が落下することはない。よって、表示札の表示機能が損なわれることはない。
【０００９】
【発明の実施の形態】
以下、実施形態を挙げて、本発明を更に詳細に説明する。図１は、本発明に係る表示札Ｌの全体斜視図であり、図２は、第２紐部４の部分拡大斜視図であり、図３は、図２のＸ−Ｘ線拡大横断面図であり、図４は、図２のＹ−Ｙ線拡大横断面図であり、図５は、第２紐部４の紐挿入係合孔１１に第１紐部２が係合された状態の拡大断面図である。図１及び図２において、本発明に係る表示札Ｌは、円板状の表示プレート部１と、該表示プレート部１に基端部が一体に連結されて、管Ｐ1(Ｐ2)に巻回される第１紐部２と、前記表示プレート部１及び前記第１紐部２の基端部とを挿通可能な挿通孔３を備えていて、該第１紐部２の先端部に一体に連結される第２紐部４とから成る。この表示札Ｌには、配線・配管先等の所定事項が記載され、その全体は、ゴム又は軟質合成樹脂等の軟質材料で成形されているため、可撓性を有する。
【００１０】
第１紐部２は、図２及び図３に示されるように、各コーナー部がアール面取りされた方形状の横断面形状を有していて、その外周には、長手方向に沿って所定間隔をおいて多数の環状突条５が設けられている。この第１紐部２の厚さは、前記表示プレート部１の肉厚よりも厚くなっていて、表示プレート部１と第１紐部２とは、ばち状をした連結部６を介して補強状態で一体に連結されている。
【００１１】
また、第２紐部４は、前記第１紐部２よりも薄肉であって、しかも幅広の帯板状を呈していて、ばち状をした連結部７を介して前記第１紐部２の先端部に補強状態で一体に連結されている。板状をした第２紐部４には、その先端部を除く全ての部分に、前記表示プレート部１及び前記第１紐部２を挿通するために、その厚さに対応する幅を有するスリット状の挿通孔３が設けられている。板状をした第２紐部４の先端部には、その表裏両面に補強円板部９がそれぞれ設けられて、他の部分よりも厚肉となっていて、該補強円板部９の中心部には、前記第１紐部２の基端部を挿入して係合させるための紐挿入係合孔１１が前記挿通孔３と連通して設けられている。この紐挿入係合孔１１の形状は、第１紐部２の横断面形状と対応している。即ち、図２及び図４に詳細に図示されているように、前記補強円板部９の部分には、紐挿入係合孔１１に連通する第１連通孔１２が第２紐部４の長手方向に沿って設けられ、該第２紐部４における該連通孔１２と前記挿通孔３との間には、横断面がＶ字状をした第２連通孔１３が設けられている。
【００１２】
また、板状をした第２紐部４における前記紐挿入係合孔１１よりも更に先端の部分には、その表裏両面に前記と同様の補強円板部１４が設けられ、該補強円板部１４には、第１紐部２の余長部を保持するための保持孔１５が設けられ、該保持孔１５と第２紐部４の先端面との間には、当該部分を復元可能に拡開させて、第１紐部２の余長部を前記保持孔１５に挿入するための拡開孔１６が設けられている。この保持孔１５の形状も、第１紐部２の横断面形状に対応している。
【００１３】
そして、図６に示されるように、管Ｐ1 に表示札Ｌを取付けるには、第１紐部２を管Ｐ1 に巻回した状態にして、表示プレート部１と該第１紐部２の基端部とを、第２紐部４の挿通孔３に挿通した後に、前記表示プレート部１を引っ張ると、前記第１紐部２の基端部は、第１及び第２の各連通孔１２，１３を通って、前記挿通孔３の先端部に連通して設けられた紐挿入係合孔１１に挿入されると共に、該第１紐部２に設けられた環状突条５が前記紐挿入係合孔１１の周縁部に係合する。第２紐部４の紐挿入係合孔１１に第１紐部２の基端部が挿入係合された後には、第２紐部４における第１及び第２の各連通孔１２，１３の部分は弾性変形により原形状に復元するために、第２紐部４の紐挿入係合孔１１に挿入係合された第１紐部２は、挿通孔３の側に抜け出ることはない。これにより、表示札Ｌは、第１及び第２の各紐部２，４が管Ｐ1 に締付状態で巻回されて、取付けられる。
【００１４】
このため、図６に示されるように、使用中において、表示プレート部１にいずれの方向の力が作用しても、第１紐部２の外周の環状突条５が、第２紐部４の紐挿入係合孔１１の周縁部に係合して、該第１紐部２は、その長手方向に沿ってずれないために、管Ｐ1 に対する第１及び第２の各紐部２，４の締付状態は、緩まない。しかも、第１又は第２のいずれかの紐部２，４に何らかの力が作用して、その締付状態が緩んでも、表示プレート部１は、第２紐部４の紐挿入係合孔１１の周縁部に当接するのみで、該紐挿入係合孔１１から抜け出ないために、管Ｐ1 から表示札Ｌが取り外されて、落下することもない。このため、使用中において、表示札Ｌの表示機能が損なわれることはない。
【００１５】
また、図７に示されるように、同一の表示札Ｌを前記管Ｐ1 よりも外径の小さな別の管Ｐ2 に取付ける場合には、第１紐部２における巻回に寄与していない部分（余長部）２ａの長さが長くなって、使用中において、表示プレート部１の表示方向が定まらなくなったり、或いは第１紐部２の余長部２ａ、或いは表示プレート部１が他の物品に引っ掛かる恐れがある。これを防止するために、図６に示されるように、第１紐部２の余長部２ａをわん曲させて、その基端部を第２紐部４の先端に設けられた拡開孔１６を通して保持孔１５に挿入すると、該第１紐部２の外周の環状突条５が保持孔１５の周縁部に係合して、この保持状態が維持されて、第１紐部２の余長部２ａ及び表示プレート部１は、いずれも管Ｐ2 に巻回されている第２紐部４に保持される。このため、表示プレート部１の表示方向が定められて、表示機能が発揮されると共に、第１紐部２の余長部２ａが自由に動かなくなる。
【００１６】
また、上記実施形態では、第２紐部４の挿通孔３に紐挿入係合孔１１が連通して設けられ、第１紐部２を管Ｐ1(Ｐ2)に巻回した状態で、前記挿通孔３に表示プレート部１と第１紐部２とを挿通して、該表示プレート部１を無造作に引っ張るのみで、第１紐部２が前記紐挿入係合孔１１に挿入係合されて、第１紐部２と第２紐部４とがワンタッチで連結される利点がある。しかし、本発明に係る表示札は、上記実施形態に限られず、第２紐部４と、該第２紐部４の挿通孔３に挿通された第１紐部２とは、紐類等の別体の連結具で連結する構成にしてもよく、更に、第２紐部４の挿通孔３に挿通された第１紐部２は、該挿通孔３とは連通していない部分に設けられた紐係合部（例えば、前記実施形態の保持孔１５に相当する部分）に長手方向にずれないように係合させてもよい。
【００１７】
更に、上記実施形態の第２紐部４は、全体が帯板状をしていて、表示プレート部１を挿通可能にするために、この厚さに対応する幅を有するスリット状の挿通孔３を備えた構成であるが、表示プレート部１を挿通可能な輪体で構成することも可能である。
【００１８】
【発明の効果】
本発明に係る表示札は、上記構成であって、管・ケーブル類等の被取付体に取付けられた状態で、表示プレート部に引張力等の何らかの外力が作用しても、被取付体に対する第１及び第２の各紐部の締付状態が緩まないと共に、被取付体から表示札全体が外れたりもしないので、使用中において表示札としての表示機能が損なわれることはない。
【００１９】
また、第２紐部の挿通孔に連通する紐係合部が設けられていると、被取付体に対して表示札を取付ける場合には、その第１紐部を被取付体に巻回させた状態において、表示プレート部と第１紐部とを、第２紐部の挿通孔に挿通した後に、前記表示プレート部を無造作に引っ張るのみで、前記第１紐部の基端部が、前記挿通孔と連通する紐係合部の部分に移動させられて係合する。このため、被取付体に対する表示札の取付けも極めて簡単となる。
【図面の簡単な説明】
【図１】本発明に係る表示札Ｌの全体斜視図である。
【図２】第２紐部４の部分拡大斜視図である。
【図３】図２のＸ−Ｘ線拡大横断面図である。
【図４】図２のＹ−Ｙ線拡大横断面図である。
【図５】第２紐部４の紐挿入係合孔１１に第１紐部２が係合された状態の拡大断面図である。
【図６】管Ｐ1 に表示札Ｌを取付けた状態の斜視図である。
【図７】管Ｐ2 に表示札Ｌを取付けた状態の斜視図である。
【図８】従来の表示札Ｌ’の斜視図である。
【図９】従来の表示札Ｌ’の使用状態の斜視図である。
【符号の説明】
Ｌ：表示札
Ｐ1,Ｐ2 ：管（被取付体）
１：表示プレート部
２：第１紐部
３：挿通孔
４：第２紐部
５：環状突条
１１：紐挿入係合孔（紐係合部）
１５：保持孔（保持部）
【図１】
0003589908.tif 000002
【図２】
0003589908.tif 000003
【図３】
0003589908.tif 000004
【図４】
0003589908.tif 000005
【図５】
0003589908.tif 000006
【図６】
0003589908.tif 000007
【図７】
0003589908.tif 000008
【図８】
0003589908.tif 000009
【図９】
0003589908.tif 000010